(57)【要約】【課題】主として動物病院，ペットショップなどに設置される動物ケージの出入口を対象とした開閉扉又は開閉扉の開口部にロールスクリーンの上部を固定してスクリーンの長さを自由に可変でき、しかも防臭，抗菌機能を備えて遮蔽できるようにした動物ケージ用抗菌性スクリーン装置の提供。【解決手段】立方形状で一方の方形状開口部を出入口２とする動物用のケージであって、前記出入口２の一側を枢支させた格子ないし網状の開閉扉３を備えると共に、ロールスクリーン５の巻取枠９を支持機構Ａを介して前記出入口２の上辺１１ないし開閉扉３の上辺のいずれか一方に固着させ、前記ロールスクリーン５のスクリーン７を消臭，殺菌作用を呈する繊維で織成した抗菌性通気材料で形成し、かつスクリーン７の長さを伸縮自在かつ伸縮位置を自由に選定停止することを特徴とする動物ケージ用抗菌性スクリーン装置。【選択図】図１
2015130798.tif 000002
【特許請求の範囲】
【請求項１】
立方形状で一方の方形状開口部を出入口とする動物用のケージであって、前記出入口の一側を枢支させた格子ないし網状の開閉扉を備えると共に、ロールスクリーンの巻取枠を支持機構を介して前記出入口の上辺ないし開閉扉の上辺のいずれか一方に固着させ、前記ロールスクリーンのスクリーンを消臭，殺菌作用を呈する繊維で織成した抗菌性通気材料で形成し、かつスクリーンの長さを伸縮自在かつ伸縮位置を自由に選定停止することを特徴とする動物ケージ用抗菌性スクリーン装置。
【請求項２】
前記支持機構は、出入口には係止部を設け、相対するロールスクリーンの巻取枠の当接面には係止部を設けて係脱自在として成ることを特徴とする請求項１記載の動物ケージ用抗菌性スクリーン装置。
【請求項３】
前記支持機構は、開閉扉の上辺と係合できる爪片をロールスクリーンの巻取枠に設けて、係脱自在として成ることを特徴とする請求項１記載の動物ケージ用抗菌性スクリーン装置。
【請求項４】
請求項２記載の係止部には、フラットバーを介在させてロールスクリーンの巻取枠の当接位置を出入口の上方に長さを調節できるようにして成ることを特徴とする動物ケージ用抗菌性スクリーン装置。
【発明の詳細な説明】
【技術分野】
【０００１】
本発明は小容積内に閉じ込められる動物のストレスを解消し、常時快適に収容可能な動物ケージ用抗菌性スクリーン装置に関する。
【背景技術】
【０００２】
一般に、犬，猫のペットを始め、各種の動物は、密閉された立方形のケージ内に収容して保管する場合が多い。
【０００３】
特に、ペットショップ，医療用研究所とか動物病院など多くの種類の動物を収容している場所では、数多くのケージが設けられており、ケージ自体を清潔に維持しても、動物特有の臭気，異臭に充満して室内の空気環境が損なわれるという不都合を回避できないという問題がある。
【０００４】
これに対し、ペット小屋にカーテン部材を取り付けて、動物の出入口を遮蔽できるものが知られている（例えば、特許文献１参照。）。
【０００５】
さらに、隣り合う空間を仕切るものとしてロールスクリーンが知られている。このロールスクリーンに防汚機能，消臭機能を備えたものも知られている（例えば、特許文献２参照）。
【先行技術文献】
【特許文献】
【０００６】
【特許文献１】実用新案登録第３０９７６８４号公報
【特許文献２】特開２００２−２９５１４３号公報
【発明の概要】
【発明が解決しようとする課題】
【０００７】
特許文献１にあっては、ペット小屋の開閉口、即ち出入口を遮蔽することが可能であっても、ペット自体が発する異臭や雑菌を排除することはできず、衛生上の多くの問題がある。
【０００８】
他方、特許文献２に示す防汚機能，消臭機能を有するロールスクリーンであっても、ペットなどのケージにどのように装着するか全く示されていない。
【０００９】
本発明は叙上の点に着目して成されたもので、一般のペット屋は勿論のこと、主として動物病院，ペットショップなどに設置される動物ケージの出入口を対象とした格子扉又は格子扉の開口部にロールスクリーンの上部を固定してスクリーンの長さを自由に可変でき、しかも防臭，抗菌機能を備えて遮蔽できるようにした動物ケージ用抗菌性スクリーン装置を提供することを目的とする。
【課題を解決するための手段】
【００１０】
この発明は下記の構成を備えることにより上記課題を解決できるものである。
【００１１】
（１）立方形状で一方の方形状開口部を出入口とする動物用のケージであって、前記出入口の一側を枢支させた格子ないし網状の開閉扉を備えると共に、ロールスクリーンの巻取枠を支持機構を介して前記出入口の上辺ないし開閉扉の上辺のいずれか一方に固着させ、前記ロールスクリーンのスクリーンを消臭，殺菌作用を呈する繊維で織成した抗菌性通気材料で形成し、かつスクリーンの長さを伸縮自在かつ伸縮位置を自由に選定停止することを特徴とする動物ケージ用抗菌性スクリーン装置。
【００１２】
（２）前記支持機構は、出入口には係止部を設け、相対するロールスクリーンの巻取枠の当接面には係止部を設けて係脱自在として成ることを特徴とする前記（１）記載の動物ケージ用抗菌性スクリーン装置。
【００１３】
（３）前記支持機構は、開閉扉の上辺と係合できる爪片をロールスクリーンの巻取枠に設けて、係脱自在として成ることを特徴とする前記（１）記載の動物ケージ用抗菌性スクリーン装置。
【００１４】
（４）前記（２）記載の係止部には、フラットバーを介在させてロールスクリーンの巻取枠の当接位置を、出入口の上方に長さを調節できるようにして成ることを特徴とする動物ケージ用抗菌性スクリーン装置。
【発明の効果】
【００１５】
本発明によれば、動物ケージの出入口か、又は、開閉扉のいずれか一方の上辺にロールスクリーンの巻取枠が固着されるので、スクリーンを上下させて、好みの遮蔽状態の下に遮蔽することにより、収容させた動物の視界を防いで、動物の神経を静ませて安定させるのに役立ち、不安や病気の回復に有効に働かせることができる。
【００１６】
特に、スクリーン自体が防臭性，殺菌性で通気性素材の抗菌性であるので、動物に対する衛生環境を改善できると共に、多数のケージを収容している病院自体も動物の異臭や殺菌の環境を防いで衛生的な環境を維持できる。
【００１７】
ロールスクリーンの巻取枠の取付けに対しても、ケージ体の出入口や開閉扉の上辺に、支持機構を介して簡単に装着できる。
【００１８】
そして、ケージ体の出入口の上辺には、開閉扉の上辺が開閉時に当接離開するので、ロールスクリーンを取り付けるスペースが狭くなり、そのため支持機構にフラットバーを介在させて、上辺の上方に長さを調節して、ロールスクリーンの巻取枠を固着させて開閉扉の円滑な作動に支障を来たさないように配慮できる。
【図面の簡単な説明】
【００１９】
【図１】動物用のケージ体にロールスクリーンを配設した状態の二例を示すもので、（１）は上下二段で複数のケージ体を配設した構成を示す斜視図、（２）は単一のケージ体の場合の斜視図
【図２】ケージ体にロールスクリーンを装着する際の支持機構の一例を示すもので、（１）はケージ体の出入口の上辺に固定されるフラットバーと取付ブラケットとの組み合わせ状態を示す斜視図、（２）は取付ブラケットを固着したフラットバーをケージ体の出入口の上辺のＬ字枠に止めビスを介して固着する状態を示す斜視図、（３）はロールスクリーンの巻取枠の背面に設けた引掛部の係止部を介してケージ体に付設したフラットバー上の取付ブラケットの係止部と係合させる過程を示す斜視図
【図３】ケージ体にロールスクリーンを装着する際の他の支持機構の一例を示すもので、（１）はロールスクリーンの爪片を、フラットバーを介してケージ体の出入口の上辺に突設した環状部と係合できる状態を示す斜面図、（２）は同上の部分側面図
【図４】（１）は図３と同一構成の爪片を備えたロールスクリーンをケージ体の開閉扉の上辺に挿着できる状態を示す斜視図、（２）は同上の部分側面図
【発明を実施するための形態】
【００２０】
以下本発明を実施するための最良の形態を、実施例により詳しく説明する。
【実施例】
【００２１】
以下に、本発明の一実施例を図面と共に説明する。
【００２２】
１は一方向のみを開口した立方形状のケージ体、２は前記ケージ体１の開口した動物の出入口、３はこの出入口２の一側辺４に枢支させた開閉扉で、柵とか網を用いて動物が不用意に逃逸しないように形成してある。５はケージ体１の上辺又は開閉扉３に支持体機構Ａ，Ｂを介して確固に固定されるロールスクリーンであって、ロール６の外周に捲装されるスクリーン７をもって形成させ、ロール６に内蔵される図示しないバネ機構と、図示しないスクリーン７の長さを可変して調節できるストップ機構を内蔵してある。これにより、スクリーン７の下辺のウエイトバー８を把持してスクリーン７の長さを大小自体に調節してケージ体１内の透視性を好みの状態に変化させることができる。
【００２３】
そして、ケージ体１を上下多段に並設した業務用のもの（図１（１）図示のもの）は勿論のこと、単一なケージ体（図１（２）に図示のもの）に対してもロールスクリーン５をケージ体１の出入口２又は開閉扉３に支持機構Ａ，Ｂを介して簡単に取り付けることができる。
【００２４】
以下に、支持機構Ａ，Ｂの二例について説明する。
【００２５】
まず、支持機構Ａについて図２と共に説明する。
【００２６】
ロールスクリーン５のロール６を支持する巻取枠９を固定する取付ブラケット１０をケージ体１の出入口２の上辺１１の両隅部に配設されているＬ字枠１２の２本の支持止めビス１３を外し、取付ブラケット１０をフラットバー１４を介して上下の長さを調節してフラットバー１４に穿ったネジ孔２２，２３を用い、取付ブラケット１０とフラットバー１４を結びつけるビス２４と、前記Ｌ字枠１２を取付けている前記ビス１３を利用して簡単に装着できる。前記取付ブラケット１０の上部には鈎状形状の係止部１５を並設してあり、下部には上下微調節できる係止部１６を設けて、舌片１７を押し上げて、係止部１６を内蔵するバネに抗して上行させて巻取枠９の下部の係止部１８との係合を外すことを可能にしている。
【００２７】
即ち、巻取枠９の上部係止部１９を取付ブラケット１０の鈎状形状の係止部１５と係止させ、巻取枠９の下部係止部１８を取付ブラケット１０の係止部１６と係止させて、上下の係止部１９，１８を利用してロールスクリーン５をケージ体１の上辺１１に沿って簡単に取付できる。外したい時は、舌片１７を上方に押し上げ、下部の係止部１６を内蔵したバネに抗して上行させることにより、巻取枠９の下部の係止部１８は、取付ブラケット１０の下部の係止部１６との係合を外し、上部の係止部１９も取付ブラケット１０の上部の係止部１５との係合も外し、その結果、巻取枠９は、ケージ体１の出入口２より離脱させることができる。
【００２８】
つぎに、他の支持機構Ｂは、詳細を示す図３及び図４について説明する。
【００２９】
この支持機構Ｂは、同一構成のロールスクリーン５の巻取枠９のケージ体１の出入口２の上辺１１と相対向する側に係入用の爪片２０を両側に突設し、この爪片２０と相対向するケージ体１の上辺１１に係入状の環状部２１を付設する（図示せず）。
【００３０】
この場合、開閉扉３の開閉に邪魔になる場合は、ケージ体１の上辺１１の上方に環状部２１を配設する必要があるため、前記支持機構Ａのフラットバー１４に相当する補助材料１４ａを付設してその不都合を回避できる（図３（１）（２）参照）。
【００３１】
以上は、ロールスクリーン５とケージ体１の出入口２に装着する場合であるが、支持機構Ｂでは、ロールスクリーン５に付設した爪片２０は、そのまま開閉扉３の上辺に上方から嵌入することにより、簡単に扉自体に装着して、そのままスクリーン７として開閉扉３の前面で摺動させて、好みの位置での開閉操作を行わせることができる（図４参照）。
【００３２】
以上、支持機構Ａ，Ｂに示すように、ケージ体１が単品は勿論のこと、多数のユニット型構造の多数多段のケージ体１についても、ロールスクリーン５は簡単に装着できる。
【００３３】
そして、以上述べたロールスクリーン５のスクリーン７は、本発明者らが開発した特許第３２６１６１６号に示す化学物質、例えば酸化チタンなどの抗菌性元素を包んだ繊維で織成した織布を用いており、各種動物を衛生管理できる動物ケージとして新しい時代の飼育又は病室構成として広く利用できる。
【００３４】
なお、支持機構Ａの場合は、ケージ体１の上辺１１に付設する取付ブラケット１０の構成が複雑であるのに対し、支持機構Ｂの場合は、爪片２０とこれが係入する環状部２１との構成の簡易化が可能であるので、巻取枠９をケージ体１の出入口２の上辺１１での取付が可能である。同様に開閉扉３の上辺に爪片２０を係入させるだけで簡単に取り付けることができる。
【符号の説明】
【００３５】
１          ケージ体
２          出入口
３          開閉扉
４          一側辺
５          ロールスクリーン
６          ロール
７          スクリーン
８          ウエイトバー
９          巻取枠
１０        取付ブラケット
１１        上辺
１２        Ｌ字枠
１３        ビス
１４        フラットバー
１４ａ      補助材料
１５        係止部
１６        係止部
１７        舌片
１８        係止部
１９        係止部
２０        爪片
２１        環状部
２２，２３  ネジ孔
２４        ビス
Ａ，Ｂ      支持機構
【図１】
2015130798.tif 000003
【図２】
2015130798.tif 000004
【図３】
2015130798.tif 000005
【図４】
2015130798.tif 000006